(57)【要約】【課題】演奏者がボーイングする時、必ず所定の位置を経由するように弓の軌道を体感的に覚えることと共に、筋肉を強化したり、演奏者のボーイングの癖を矯正したり、右手首や右手の指の柔軟性を図る楽器の運弓練習具の提供を課題とするものである。【解決手段】バイオリンを模った本体と、この本体上に載地された回動体と、前記回動体に、軸支された弓案内体を有し、弓案内体に弓をガイドしてボーイングのトレーニングを行う。【選択図】図６
2008090291.tif 000002
【特許請求の範囲】
【請求項１】
バイオリンを模った本体と、前記本体に載置された回転可能な回動体と、前記回動体に弓案内体を備え、前記弓案内体に弓を案内させて練習することを特徴する楽器の運弓練習具。
【請求項２】
回動体を所定の角度に調節し、前記回動体の位置を固定する接合部材を有する請求項１記載の楽器の運弓練習具。
【請求項３】
バイオリンを模った本体と、前記本体に載置された回動体と、前記回動体に回転可能に軸支された弓案内体を備え、前記弓案内体に弓を案内させて練習することを特徴とする楽器の運弓練習具。
【請求項４】
回動体の回転面に対して弓案内体が垂直方向に回転する請求項３記載の楽器の運弓練習具。
【請求項５】
弓案内体は周囲を囲んで形成し、弓を挿入するよう構成した請求項３記載の楽器の運弓練習具。
【請求項６】
弓案内体は、弓の軸回転可能な形状である請求項５記載の楽器の運弓練習具。
【請求項７】
弓案内体は、弓の軸回転を規制する形状である請求項５記載の楽器の運弓練習具。
【請求項８】
弓案内体の位置決めをする規制具を備えた請求項３記載の楽器の運弓練習具。
【発明の詳細な説明】
【技術分野】
【０００１】
本発明は楽器の演奏に関するものである。
【背景技術】
【０００２】
１．弓でバイオリンの弦を弾くことをボーリングと称している。バイオリンで曲を演奏する場合、バイオリンに形成された、F字孔の上で弦に対して直角にボーイングすることにより、美しい音色を発することができる。しかし、弓は演奏者が把持してボーイングするので、フリー状態で移動してしまい、直角を保てなかったり、F字孔の上からはずれたりする。
【０００３】
２．楽譜の指示に従って強弱をつけるために弦に対する左手の弓の押圧を加減することが求められる。
【０００４】
３．また、１の問題以外にも、把持された弓が演奏者の意思と関係なく上下に迂曲してしまい弾こうとしていない弦に弓があたってしまうことがあった。
【０００５】
これまで、運弓練習具としてバイオリンに直接取り付ける物があった。例えば特開２００２−２６８６２７号では、弓を弦に対し直角にガイドすることが可能であることから、一応の練習効果があった。しかしながら、前記、練習器は、バイオリンに直接取り付け、バイオリンで練習をするように形成されていたために、運弓練習を行う際に、様々な角度でボーイングしたり、弓より重い物（例えば金属棒）でボーイングの練習をしたりできなかった。また、弓が環囲されていないので、横圧には対応できても、昇圧をかけて練習を行うことはできなかった。また、バイオリンと弓を使ってボーイング練習する場合は、弓の軸を中心とする回転を止め右手の指に負荷をかけの柔軟性を向上させることができず、効果的な運弓練習を行い難い問題があった。
【特許文献１】特開２００２−２６８６２７号公報
【発明の開示】
【発明が解決しようとする課題】
【０００６】
本発明は、演奏者がボーイングする時、必ず所定の位置を経由するように弓の軌道を体感的に覚えることと共に、筋肉を強化したり、演奏者のボーイングの癖を矯正したり、右手首や右手の指の柔軟性を図る楽器の運弓練習具の提供を課題とするものである。
【課題を解決するための手段】
【０００７】
本発明の楽器の運弓練習具は、バイオリンを模った本体と、本体に載置された回転可能な回動体と、この回動体に弓案内体を備え、弓案内体に弓を案内させて練習するものである。
また、バイオリンを模った本体と、この本体に載置された回動体と、回動体に回転可能に軸支された弓案内体を備え、回動体や弓案内体の角度を調節して、弓案内体に弓を案内させて練習するものである。
【０００８】
または、前記本体９に,１対の弓案内体B7を平行状態に立設し前記一対の弓案内体B7の間に車輪８を配置する。前記車輪８上を弓１８で弾いて楽器の運弓練習を行う。
【発明の効果】
【０００９】
本発明は、回動体に弓案内体を設けたので、弓の角度を変えてボーイングのトレーニングができる。
また、回動体に設けられた弓案内体が回転可能なので、垂直方向にも弓の角度を変えてボーイングのトレーニングができる。
本楽器のボーイングのトレーニング器で練習すれば、ボーイングする時に弓１８を案内する弓案内体１２を本体９に装着したので練習時に弓１８が所定の場所から移動することを防ぐことができ、弦に対して直角を保つことができる。さらに、弓案内体１２を環囲したので、横方向のだけでなく、上方向に弓の移動を規制できるので、上方向に持ち上げてバイオリンの演奏の際に強弱をつけるトレーニングができる。
【００１０】
また、弓案内体１２の回転をロック状態にできるようにしたので、手はどの方向に迂曲することができなくなりボーイングは必ず所定の位置を経由し、一直線になる。さらに、前記ロック状態の時に、弓案内体A１２の貫通孔の中で弓の軸回転を止められるようにしたので、右手のストレッチ効果もある。
この練習器を使用して練習を繰り返せば正確なボーイングを体に覚えこませる事が出来る。    
【００１１】
また、音が殆ど出ないので、夜間でも、気兼ねなく練習できる。
【発明を実施するための最良の形態】
【００１２】
以下本発明の実施例を図面に基づいて説明する。
【実施例１】
【００１３】
図１に示すように、中板１に表板上２Ａ、表板下２Ｂ、裏板３を張り、バイオリンの形状を模った本体４を形成する。
【００１４】
弓の通る位置すなわち表板上２、表板下３の間に面ファスナー６を取り付け、さらにその面ファスナー６を回動部Ｂ５（回動体）にも取り付け、中板１の中央部に回動部Ｂ５を取り付ける。回動部Ｂ５は面ファスナー６で接合されているので、着脱が可能である。
【００１５】
回動部Ｂ５は、図３に示すように円形の台板上に弓案内体Ｂ７と車輪８を設けている。
【００１６】
図４に示すように、弓を弓案内体Ｂ７に挿入して、弓１８を弓案内体Ｂ７に案内させながら演奏の練習をする。弓の代わりに木、金属などの様々な重さの棒を使用して練習できる。
演奏者がボーイングする時、弓１８は正しい位置で弦に対して直角を保つことができ、さらに弓１８が車輪８にリードされ、このようにバイオリンの弓を弦に対して垂直に通す練習が可能である。
【実施例２】
【００１７】
以下実施例を図６〜図８に基づいて説明する。実施例２として、図８に示す弓１８が、図６に示すバイオリンを模った本体９を横切る位置に、水平方向に回転する回動部A１０を載置して、図６に示すように前記回動部A１０に軸１５に軸支され垂直方向に回転自在な回転部１１が設けられている構造を備えている。
【００１８】
図７は本体１に図６のA―A断面である。回転部１１の下部を取り除いて回転部１１は本体９と垂直方向に軸１５を中心として回転が可能である。図６に示すように本体９を回動部の右を本体A１、左を本体B１とすると、前記本体Aと本体Bを、ジョイント部材１６を掛け渡し一体化させる。
【００１９】
前記本体９に載置させた前記回動部A１０（回動体）が、ボーイングの練習のときに装着された状態を保つために、本体９側と回動部Ａ１０側の接合面にそれぞれ面ファスナー１３などの接合部材を設けて、回動部Ａ１０を所定の位置に回転させた後、着脱自在に固定できる。
【００２０】
回転部１１に当接又は一体化させた貫通孔状の弓案内体A１２を設け、この弓案内体Ａ１２に弓１８を挿入してボーイングの練習をする。前記弓案内体A１２は、弓１８を挿入しボーイングした時、右手の動きに追従して弓１８が輪転することが可能な形（円形が一般的）である。
【００２１】
次に動作について述べる。演奏者は、回動部Ａ１０を所定の位置に回転させて固定し、弓１８を弓案内体Ａ１２に挿入し、回転部１１を所定の角度に設定した後、弓１８を弓案内体Ａ１２の孔にガイドされて、前後にボーイングしトレーニングする。このようにして図８に示すように、演奏者が弓１８を弓案内体１２に挿入し、ボーイングする時弓１８は、正しい位置に保たれ、弦に対して、ほぼ直角を保つことができる。
回転部１１は回転自在な状態でボーイングを行うこともできる。
【００２２】
また、図６に示す実施の形態では、回動部A10を弓が弦に対して直角になるように配置しているが、図９に示すように前記回動部A10を演奏者がボーイングの癖を直す目的やストレッチングの目的などから演奏者または演奏方法に応じて任意の角度に調節できる。
【００２３】
回動部A10に凸部１７を設け凸部１７と回転部１１の間に押圧作用のある部材を配置することにより、前記回転部１１の回転をロック状態にする。この結果、手はどの方向にも迂曲することができなくなりボーイングは必ず所定の位置を経由し、一直線になる。
【実施例３】
【００２４】
第３の実施例を図１０に示す。図１０に示すように弓案内体A12貫通孔を四角形などに形成し、貫通孔に相似形に縮小した弓１８でボーイングした時、右手の動きに追従して弓１８輪転することが不可能な形（円形以外が一般的）の前記貫通孔を形成する。
【００２５】
回転部１１のロック状態を解除すれば、回転自在に作動する構造を有し通常の練習ができる。
【図面の簡単な説明】
【００２６】
【図１】本発明の実施例１の斜図
【図２】同実施例１の回動部Bを取り除いた図
【図３】同回動部Bの斜図
【図４】同実施例１のトレーニング器で練習している図
【図５】同回動部Bの分解図
【図６】本発明の実施例２の回動部Aを本体に取り付けた斜図
【図７】同図６のA―A断面図
【図８】同実施例２のトレーニング器で練習している図
【図９】同回動部Aが回転した図
【図１０】本発明の実施例３の弓案内体を変形させた図
【符号の説明】
【００２７】
４    本体
５    回動部B
７    弓案内体B
８    車輪
９    本体
１０  回動部A
１１  回転部
１２  弓案内体A
１８  弓
【図１】
2008090291.tif 000003
【図２】
2008090291.tif 000004
【図３】
2008090291.tif 000005
【図４】
2008090291.tif 000006
【図５】
2008090291.tif 000007
【図６】
2008090291.tif 000008
【図７】
2008090291.tif 000009
【図８】
2008090291.tif 000010
【図９】
2008090291.tif 000011
【図１０】
2008090291.tif 000012